(57)【特許請求の範囲】
【請求項１】
両端部に孔部が形成された金属製中空円筒状の外殻体と、貫通孔を有しこの貫通孔が前記外殻体の孔部に連通した状態で前記外殻体に内蔵された弾性体とを有し、前記外殻体の孔部及び前記弾性体の貫通孔に挿通された装身用の紐部材の周面を前記弾性体の弾性力により保持する装身用紐部材の留め具において、前記外殻体の外周面に前記外殻体の内側へ突出する状態に凹状溝が形成され、この凹状溝の突出部分により前記弾性体が押圧されることにより、前記突出部分により押圧される部分の前記弾性体の貫通孔の内径が前記突出部分により押圧されない部分の前記弾性体の貫通孔の内径よりも狭められていることを特徴とする装身用紐部材の留め具。
【請求項２】
前記凹状溝は複数条形成されていることを特徴とする請求項１に記載の装身用紐部材の留め具。
【請求項３】
前記凹状溝が形成された部分の前記外殻体の断面形状は楕円形であることを特徴とする請求項１又は２に記載の装身用紐部材の留め具。
【発明の詳細な説明】
【技術分野】
【０００１】
本発明は、ネックレス、ブレスレット等に使用されるチェーン、紐等の装身用紐部材の長さを任意の長さに調節するための装身用紐部材の留め具に関するものである。
【背景技術】
【０００２】
この種の装身用紐部材の留め具にあっては、種々のものが提案されており、例えば、装身用紐部材の外径よりも僅かに小さい内径を有するＯリング形状の弾性体を外殻体内に導入したもの（特許文献１）、装身用紐部材の外径よりも僅かに小さい内径を有する弾性体パイプを外殻体に内装したもの（特許文献２）、装身用紐部材の外径よりも僅かに小さい内径を有する弾性体パイプを円筒状の外殻体に内蔵したもの（特許文献３）などがある。
これらの留め具においては、外殻体に内蔵される弾性体の内径を装身用紐部材の外径よりも僅かに小さくしなければならないという条件があり、外殻体に内蔵される弾性体の内径によって使用できる装身用紐部材の外径が制限され、さまざまな外径の装身用紐部材を使用するためには、装身用紐部材のさまざまな外径に対応するさまざまな内径の弾性体を品揃えする必要があった。
【先行技術文献】
【特許文献】
【０００３】
【特許文献１】特許第３１１４８６８号
【特許文献２】特許第３７６０２８４号
【特許文献３】特開２００６-１３６７４６号
【発明の概要】
【発明が解決しようとする課題】
【０００４】
本発明の課題は、さまざまな外径の装身用紐部材を使用するに際して、一種類の内径の弾性体で対応することができる装身用紐部材の留め具を提供することである。
【課題を解決するための手段】
【０００５】
上記課題を解決するため、本発明の装身用紐部材の留め具では、両端部に孔部が形成された金属製中空円筒状の外殻体と、貫通孔を有しこの貫通孔が前記外殻体の孔部に連通した状態で前記外殻体に内蔵された弾性体とを有し、前記外殻体の孔部及び前記弾性体の貫通孔に挿通された装身用の紐部材の周面を前記弾性体の弾性力により保持する装身用紐部材の留め具において、前記外殻体の外周面に前記外殻体の内側へ突出する状態に凹状溝が形成され、この凹状溝の突出部分により前記弾性体が押圧されることにより、前記突出部分により押圧される部分の前記弾性体の貫通孔の内径が前記突出部分により押圧されない部分の前記弾性体の貫通孔の内径よりも狭められている構成となっている。
【０００６】
前記凹状溝を複数条形成してもよく、また、前記凹状溝が形成された部分の前記外殻体の断面形状を楕円形とする構成としても良い。
【発明の効果】
【０００７】
本発明の装身用紐部材の留め具によると、外殻体に形成される凹状溝の突出部分を装身用紐部材の外径に対応する適切な高さとすることにより、突出部分により押圧される部分の弾性体の貫通孔の内径を装身用紐部材の外径よりも僅かに小さくすることが可能となり、装身用紐部材を適切な弾性力で締め付けることができる。また、弾性体に接触する突出部分の面積を調節することにより、装身用紐部材と弾性体との間の摩擦抵抗を調節できる。従って、装身用紐部材と弾性体との間に適切な摩擦抵抗を生じさせることが可能となるので、装身用紐部材の長さ調節の際には、留め具に対して適切な摩擦力の下に装身用紐部材をスライドさせることができ、かつ、装身用紐部材を所望の位置で留め具に保持させることができる。
【０００８】
従来の留め具においては、装身用紐部材の外径に対する弾性体の内径が小さすぎた場合は、装身用紐部材を強く締め付けすぎる結果となり、装身用紐部材の損傷、変形、弾性体の損傷、或は、強い摩擦力による弾性体の磨耗が生じ、装身用紐部材の外径に対する弾性体の内径が大きすぎた場合は、装身用紐部材に対する留め具の保持力が不足する、という問題が多々生じていたが、本発明の装身用紐部材の留め具によると、凹状溝の突出部分の高さ、弾性体に接触する突出部分の面積を調節することにより、装身用紐部材と弾性体との間に適切な摩擦抵抗を生じさせることが可能となるので、このような従来の留め具の問題点を解消し、使い易く、耐久性に優れた留め具を提供できる。また、一種類の弾性体でさまざまな外径の装身用紐部材に対応可能となるので、留め具に使用する弾性体の品揃えも少なくすることができる。
【図面の簡単な説明】
【０００９】
【図１】本発明の実施例１に係る留め具の断面図である。
【図２】本発明の実施例２に係る留め具の断面図である。
【図３】本発明の実施例３に係る留め具を説明する図であり、図３(a)は留め具の正面断面図、図３(ｂ)は留め具の側面断面図、図３(ｃ)は図３(a)のＡ-Ａ線断面図である。
【図４】本発明に係る留め具を使用したネックレスを説明する図である。
【発明を実施するための形態】
【実施例１】
【００１０】
図１は、本発明の実施例１に係る装身用紐部材の留め具の断面図であり、図４は、本発明の留め具が使用されているネックレスの説明図である。
【００１１】
ネックレス１は装身用の紐部材３と、紐部材３が挿通された留め具５と、留め具５の外面にろう付け又は溶接により取り付けられた丸環7と、丸環7に取り付けられた開閉可能な係止具９と、紐部材３の一端に取り付けられたプレート１１とを具備し、プレート１１の孔部１３に係止具９を繋いで使用する。このネックレス１においては、紐部材３はチェーンにより構成されており、紐部材３を留め具５に対して矢印a方向又はｂ方向にスライドさせることにより、紐部材３の長さを調節する。
【００１２】
留め具５は金属製中空円筒状の外殻体１５と、この外殻体１５に内蔵された円筒状の弾性体１７とで構成されている。
【００１３】
外殻体１５としては、金、銀、プラチナ等の貴金属やそれらの合金、或は黄銅、チタン、ステンレスなどの金属が用いられる。この外殻体１５の両端部には孔部１９a、１９ｂが形成されている。孔部１９a、１９ｂの径Ｄ１は紐部材３を容易に挿通できる大きさであり、且つ、弾性体１７が孔部１９a、１９ｂから抜け出ることがないように、弾性体１７の外径Ｄ２より大きい寸法となっている。
【００１４】
弾性体１７は、天然ゴム、シリコンゴム等の合成ゴムなどの弾性を有する材料により形成されており、紐部材３を挿通するための貫通孔２１を有している。この貫通孔２１の内径Ｄ３は、紐部材３を容易に挿通できる大きさとなっている。この弾性体１７は、貫通孔２１が外殻体３の孔部１９a、１９ｂに連通した状態で外殻体３に内蔵されている。
【００１５】
外殻体１５の外周面２３には、絞り加工、転造加工等の加工により、凹状溝２４が形成されている。この凹状溝２４は外殻体１５の内側へ突出する状態に形成されており、この凹状溝２４の突出部分２６により弾性体１７が部分的に押圧される構成となっている。そして、弾性体１７が部分的に突出部分２６により押圧されることにより、突出部分２６により押圧される部分の弾性体１７の貫通孔２１の内径Ｄ４は、突出部分２６により押圧されていない部分の弾性体１７の貫通孔２１の内径Ｄ３よりも狭められている。凹状溝２４の突出部分２６の高さは、貫通孔の内径Ｄ４の大きさが紐部材３の外径よりも僅かに小さい寸法になるように定める。また、弾性体１７に接触する突出部分２６の面積(長さ)は紐部材３と弾性体１７との間に適切な摩擦抵抗が生じる面積に定める。
【００１６】
従って、さまざまな外径（太さ）の紐部材３を使用する場合であっても、突出部分２６により押圧される部分の弾性体１７の貫通孔２１の内径Ｄ４を、紐部材３の外径よりも僅かに小さい寸法になるように突出部分２６の高さを定めることにより、貫通孔２１の内径Ｄ３が同一である弾性体１７を用いて、紐部材３と弾性体１７との間に適切な摩擦抵抗を生じさせることができ、紐部材３の長さ調節の際には、留め具５に対して適切な摩擦力の下に紐部材３をスライドさせることができ、かつ、紐部材３を所望の位置で留め具５に保持させることができる。
【実施例２】
【００１７】
図２は、本発明の実施例２に係る装身用紐部材の留め具の断面図である。実施例２に係る留め具５においては、凹状溝２４が２条形成されており、２条の突出部分２６により弾性体１７を押圧する構成となっている。その他の構成は実施例１と同一である。本例の留め具５にあっては、弾性体１７が２条の突出部分２６により押圧されており、弾性体１７は２箇所の位置で紐部材３を保持する構成であるので、留め具５は更に安定した状態で紐部材３を保持できる。
【実施例３】
【００１８】
図３は、本発明の実施例３に係る装身用紐部材の留め具の断面図である。実施例３に係る留め具５においては、凹状溝２４が形成された部分の外殻体１７の断面形状は楕円形に形成されており、凹状溝２４の突出部分２６により押圧される弾性体１７の部分の断面形状も長径Ｄ４a、短径Ｄ４ｂの楕円形となっている。その他の構成は実施例１と同一である。本例の留め具５にあっては、突出部分２６により押圧される弾性体１７の部分が楕円形となっているので、断面が扁平な紐部材３を使用する場合に、紐部材３の幅広の部分が長径Ｄ４aに対応するように紐部材３を留め具５に挿通することにより、紐部材３を留め具５に安定した状態で保持できる。
【産業上の利用可能性】
【００１９】
使い易く、耐久性に優れ、また、一種類の弾性体でさまざまな太さの装身用紐部材に対応可能な装身用紐部材の留め具を提供できる。
【符号の説明】
【００２０】
１    ネックレス
３    紐部材
５    留め具
１５   外殻体
１７   弾性体
１９a  孔部
１９b  孔部  
２１   貫通孔
２３   外周面
２４   凹状溝
２６   突出部分
【図１】
0005411783.tif 000002
【図２】
0005411783.tif 000003
【図３】
0005411783.tif 000004
【図４】
0005411783.tif 000005